(57)【要約】      （修正有）【課題】一層高速で多重記録が可能なホログラフィック光メモリ記録装置。【解決手段】光源と、ビームスプリッタと、前記第１光ビームを記録情報により輝度変調する空間光変調器と、出射した物体光を収束して記録媒体に投射する第１フーリェ変換レンズと、入射光に対してそれぞれ所定量の位相変位を与える位相変位素子アレイを具え、当該位相変位素子アレイにより前記第２光ビームを位相変調して参照光として出射させる位相変調器と、位相変調器駆動回路と、前記位相変調器から出射した参照光を収束して記録媒体に投射する第２フーリェ変換レンズを具える。位相変位素子アレイの位相変位量の組み合わせにより複数の位相コードパターンを形成する。位相変位量は、位相変位量の虚軸と実軸とにより規定される複素平面上における０を始点としてそれぞれの位相を終点としたベクトルの和が零となる条件を満たすと共に基底関数として離散コサイン変換行列を用いて得る。【選択図】図１
2006154012.tif 000002
【特許請求の範囲】
【請求項１】
記録すべき情報により変調された物体光と、位相コードパターンにより位相変調された参照光とを記録媒体に照射し、記録媒体に干渉縞を形成することにより記録すべき情報を多重記録するホログラフィック光メモリ記録装置において、
コヒーレントな光ビームを放出する光源と、光源から出射した光ビームを第１及び第２の光ビームに分割するビームスプリッタと、前記第１の光ビームを記録すべき情報により輝度変調して物体光として出射させる空間光変調器と、前記空間光変調器から出射した物体光を収束して記録媒体に投射する第１のフーリェ変換レンズと、前記第２の光ビームに対してそれぞれ所定量の位相変位を与える複数の位相変位素子を有する位相変位素子アレイにより位相変調を行って参照光として出射させる位相変調器と、前記位相変調器から出射した参照光を収束して記録媒体に投射する第２のフーリェ変換レンズとを具え、
前記位相変位素子アレイの位相変位素子の位相変位量の組み合わせにより複数の位相コードパターンが形成され、
前記位相コードパターンを構成する位相変位素子の位相変位量は、虚軸と実軸とにより規定される複素平面上における０を始点としてそれぞれの位相を終点としたベクトルの和が零となる条件を満たすと共に基底関数として離散コサイン変換行列を用いて規定されていることを特徴とするホログラフィック光メモリ記録装置。
【請求項２】
請求項１に記載のホログラフィック光メモリ記録装置において、前記基底関数として離散コサイン変換行列を用いて規定した位相変位量の組について、その一部の位相変位量をπだけ反転させることにより、前記位相変位量のベクトル和が零になる条件を満たすことを特徴とするホログラフィック光メモリ記録装置。
【請求項３】
請求項１又は２に記載のホログラフィック光メモリ記録装置において、前記位相変調器の各位相変位素子が入射光に対して所定量の位相変位をそれぞれ与えるように駆動する位相変調器駆動回路により各位相変位素子を駆動して所定の位相コードパターンを順次形成することを特徴とするホログラフィック光メモリ記録装置。
【請求項４】
請求項３に記載のホログラフィック光メモリ記録装置において、前記ビームスプリッタと前記位相変位素子アレイとの間の光路中に２次元マトリックス状に配列されたレンズを有するレンズアレイを配置し、当該レンズアレイの各レンズから出射した光を対応する位相変位素子にそれぞれ入射させることを特徴とするホログラフィック光メモリ記録装置。
【請求項５】
請求項３又は４に記載のホログラフィック光メモリ記録装置において、記録媒体に情報を多重記録する際、前記位相変調器は、それぞれ異なる位相コードパターンを順次形成し、これら位相コードパターンで位相変調された参照光を順次発生し、前記空間光変調器は、前記位相変調器と同期して記録すべき情報で輝度変調された物体光を順次発生し、これら順次発生した参照光及び物体光により記録媒体に情報を多重記録することを特徴とするホログラフィック光メモリ記録装置。
【請求項６】
記録すべき情報により変調された物体光と、位相コードパターンにより位相変調された参照光とを記録媒体に照射し、記録媒体に干渉縞を形成して記録すべき情報を多重記録し、前記位相コードパターンにより位相変調された参照光を記載媒体に照射して記録されている情報を再生するホログラフィック光メモリ記録再生装置において、
コヒーレントな光ビームを放出する光源と、光源から出射した光ビームを第１及び第２の光ビームに分割するビームスプリッタと、前記第１の光ビームを記録すべき情報により輝度変調して物体光として出射させる空間光変調器と、空間光変調器から出射した物体光を収束して記録媒体に投射する第１のフーリェ変換レンズと、前記第２の光ビームに対してそれぞれ所定量の位相変位を与える複数の位相変位素子を有する位相変位素子アレイにより位相変調を行って参照光として出射させる位相変調器と、前記位相変調器から出射した参照光を収束して記録媒体に投射する第２のフーリェ変換レンズと、前記光源とビームスプリッタとの間の光路中に配置した第１のシャッタと、前記空間光変調器と記録媒体との間の光路中に配置した第２のシャッタとを具え、
前記位相変調器の位相変位素子アレイの各位相変位素子の位相変位量の組み合わせにより複数の位相コードパターンが形成され、
前記位相コードパターンを構成する各位相変位素子の位相変位量は、虚軸と実軸とにより規定される複素平面上における０を始点としてそれぞれの位相を終点としたベクトルの和が零となる条件を満たすと共に基底関数として離散コサイン変換行列を用いて規定され、
前記記録媒体に情報を多重記録する際、前記位相変調器は前記位相コードパターンを順次形成して、互いに異なる位相コードパターンで位相変調された参照光を順次発生し、前記空間光変調器は、位相変調器と同期して記録すべき情報で輝度変調された物体光を順次発生し、これにより記録媒体に情報を多重記録し、
前記記録媒体に記録されている情報を再生する際、前記第２のシャッタを閉じ、前記位相変調器から所定の位相コードパターンにより位相変調された参照光を発生させることにより記録されている情報を再生することを特徴とするホログラフィック光メモリ記録再生装置。
【請求項７】
請求項６に記載のホログラフィック光メモリ記録再生装置において、さらに、装置全体の動作を制御するコントローラを有し、記録媒体に情報を記録する際、当該コントローラからの制御信号を用いて、前記空間光変調器及び位相変調器の駆動制御並びに前記第１のシャッタの開閉制御を同期して行うことを特徴とするホログラフィック光メモリ記録再生装置。
【発明の詳細な説明】
【技術分野】
【０００１】
本発明は位相コード多重記録方式を利用したホログラフィック光メモリ記録装置、特に高速性に優れた大容量ホログラフィック光メモリ記録装置に関するものである。
【背景技術】
【０００２】
ホログラムを記録するには参照光と物体光の２つの光が必要である。デジタルホログラムでは、物体光として２次元データを液晶等の空間光変調素子で駆動して変調データが形成されている。この変調データはレンズで集光され、フーリェ変換されて記憶媒体に投射され、参照光との干渉により干渉縞として記録される。ホログラム記録の場合、種々の多重記録方法が提案されている。よく使用される方法として、角度多重記録方式、球面波シフト多重記録方式、波長多重記録方式、電場多重記録方式、位相コード多重記録方式が挙げられる。角度多重記録方式では、光軸に対して記録媒体を微小な角度だけ変位させながら多重記録が行われている。このため、記録媒体の角度制御には精密な制御機構を必要とし、可動部分の構造が大がかりになる欠点がある。これに対して、位相コード多重記録方式では、液晶素子等の位相変調器を用いて複数の位相コードパターンを形成し、各位相コードパターンを用いて参照光について位相変調を行い、位相変調された参照光と物体光とを記録媒体に入射させ、多重記録が行われている（例えば、非特許文献１参照）。この位相コード多重記録方式は、可動部分を用いることなく多重記録が可能であるため、構造がコンパクトになり、しかも記録媒体をダイナミックに利用できる利点があり、ディスク型記録媒体やカード型の種々の記録媒体への適用が期待されている。
【０００３】
【非特許文献１】刊行物「Optics Communications, 85 」171-176 (1991)
【発明の開示】
【発明が解決しようとする課題】
【０００４】
従来の位相コード多重記録方式では、光の条件式より、参照光を位相変調する位相コードパターンの位相変位量がそれぞれ直交する必要があるものと考えていた。このため、基底関数としてアダマール変換行列が用いられ、位相変位量が０とπのみからから成る位相コードパターンが用いられていた。しかしながら、０とπの位相変位量は、ピークからピークへの位相変位であるため、各画素を０からπへ駆動しなければならず、画素の駆動に長時間かかり、高速性に難点があった。
【０００５】
従って、本発明の目的は、位相コード多重記録方式の利点をそのまま維持しつつ、一層高速で多重記録が可能なホログラフィック光メモリ記録装置を実現することにある。
【課題を解決するための手段】
【０００６】
本発明によるホログラフィック光メモリ記録装置は、記録すべき情報により変調された物体光と、位相コードパターンにより位相変調された参照光とを記録媒体に照射し、記録媒体に干渉縞を形成することにより記録すべき情報を多重記録するホログラフィック光メモリ記録装置において、
コヒーレントな光ビームを放出する光源と、光源から出射した光ビームを第１及び第２の光ビームに分割するビームスプリッタと、前記第１の光ビームを記録すべき情報により輝度変調して物体光として出射させる空間光変調器と、前記空間光変調器から出射した物体光を収束して記録媒体に投射する第１のフーリェ変換レンズと、前記第２の光ビームに対してそれぞれ所定量の位相変位を与える複数の位相変位素子を有する位相変位素子アレイにより位相変調を行って参照光として出射させる位相変調器と、前記位相変調器から出射した参照光を収束して記録媒体に投射する第２のフーリェ変換レンズとを具え、
前記位相変位素子アレイの位相変位素子の位相変位量の組み合わせにより複数の位相コードパターンが形成され、
前記位相コードパターンを構成する位相変位素子の位相変位量は、虚軸と実軸とにより規定される複素平面上における０を始点としてそれぞれの位相を終点としたベクトルの和が零となる条件を満たすと共に基底関数として離散コサイン変換行列を用いて規定されていることを特徴とする。
【０００７】
本発明による位相コードパターンは、離散コサイン変換行列に基づき０及びπのピーク位相以外の中間の位相を用いているため、一層高速で位相コードパターンを形成することができる。この結果、一層高速で記録可能なホログラフィック光メモリ記録装置を実現することができる。
【０００８】
本発明によるホログラフィック光メモリ記録再生装置は、記録すべき情報により変調された物体光と、位相コードパターンにより位相変調された参照光とを記録媒体に照射し、記録媒体に干渉縞を形成して記録すべき情報を多重記録し、前記位相コードパターンにより位相変調された参照光を記載媒体に照射して記録されている情報を再生するホログラフィック光メモリ記録再生装置において、
コヒーレントな光ビームを放出する光源と、光源から出射した光ビームを第１及び第２の光ビームに分割するビームスプリッタと、前記第１の光ビームを記録すべき情報により輝度変調して物体光として出射させる空間光変調器と、空間光変調器から出射した物体光を収束して記録媒体に投射する第１のフーリェ変換レンズと、前記第２の光ビームに対してそれぞれ所定量の位相変位を与える複数の位相変位素子を有する位相変位素子アレイにより位相変調を行って参照光として出射させる位相変調器と、前記位相変調器から出射した参照光を収束して記録媒体に投射する第２のフーリェ変換レンズと、前記光源とビームスプリッタとの間の光路中に配置した第１のシャッタと、前記空間光変調器と記録媒体との間の光路中に配置した第２のシャッタとを具え、
前記位相変調器の位相変位素子アレイの各位相変位素子の位相変位量の組み合わせにより複数の位相コードパターンが形成され、
前記位相コードパターンを構成する各位相変位素子の位相変位量は、虚軸と実軸とにより規定される複素平面上における０を始点としてそれぞれの位相を終点としたベクトルの和が零となる条件を満たすと共に基底関数として離散コサイン変換行列を用いて規定され、
前記記録媒体に情報を多重記録する際、前記位相変調器は前記位相コードパターンを順次形成して、互いに異なる位相コードパターンで位相変調された参照光を順次発生し、前記空間光変調器は、位相変調器と同期して記録すべき情報で輝度変調された物体光を順次発生し、これにより記録媒体に情報を多重記録し、
前記記録媒体に記録されている情報を再生する際、前記第２のシャッタを閉じ、前記位相変調器から所定の位相コードパターンにより位相変調された参照光を発生させることにより記録されている情報を再生することを特徴とする。
【発明を実施するための最良の形態】
【０００９】
図１は本発明によるホログラフィック光メモリ記録再生装置の一例を示す線図である。光源１から、物体光及び参照光を形成するためのコヒーレントな光ビームを放出する。光源として固体レーザや半導体レーザ等のコヒーレントな光ビームを発生する種々の光源を用いることができ、本例では、固体レーザを用いる。光源から発生した光ビームは、エキスパンダ光学系２により拡大平行光束に変換され、第１のシャッタ３に入射する。この第１のシャッタ３は、情報を記録する際のタイミングを維持するために用いる。第１のシャッタ３から出射した光ビームはビームスプリッタ４に入射する。ビームスプリッタ４は、入射した光ビームを物体光を形成するための第１の光ビームと参照光を形成するための第２の光ビームに２分割する。物体光を形成する第１の光ビームは偏光ビームスプリッタ５の偏光面で反射し、空間光変調器６に入射する。本例では、空間光変調器６は反射型の液晶装置で構成する。勿論、空間光変調器として透過型の液晶装置を用いることもできる。液晶装置には空間光変調器駆動回路７が接続され、この駆動回路を介して記録すべき情報を空間光変調器６に供給する。入射した第１の光ビームは、空間光変調器６において、記録されるべき情報によって輝度変調され、物体光として出射する。当該物体光は、偏光ビームスプリッタ５を透過し、λ／２板８により偏光面が元の状態に戻され、第２のシャッタ９に入射する。この第２のシャッタ９は、記録媒体に記録された情報を再生する際に物体光を遮光するために用いる。第２のシャッタを通過した物体光はフーリェ変換レンズ１０により集光され、フーリェ変換されて記録媒体１１に入射する。
【００１０】
ビームスプリッタ４で分割された第２の光ビームは、第１及び第２の全反射ミラー１２及び１３で反射し、レンズアレイ１４に入射する。本例では、レンズアレイ１４は、レンズ素子が３×３のマトリックス状に配列されたレンズアレイを用いる。従って、第２の光ビームは、３×３のマトリックス状に形成されたサブビームに変換される。レンズアレイにより形成されたサブビームは位相変調器１５に入射する。この位相変調器１５は、レンズアレイ１４と同様に、３×３のマトリックス状に配列された位相変調素子のアレイを有する。本例では、位相変調素子アレイとして、透過型の液晶素子が３×３のマトリックス状に配列された液晶装置を用いる。位相変調素子アレイの各液晶素子は位相変調器駆動回路１６により駆動され、入射光に対して所定の位相変位量をそれぞれ与える。そして、位相変調素子アレイの各位相変調素子の位相変位量の組み合わせにより複数の位相コードパターンが順次形成されることになる。位相変調器１５により位相変調された３×３本のサブビームは参照光として出射し、第２のフーリェ変換レンズ１７によりそれぞれの光束が記録媒体１１の物体光が入射する位置と同一の位置に入射する。この結果、物体光と参照光とが干渉し、記録すべき情報が干渉縞として記録される。記録媒体１１に記録された情報は、光源１から参照光を投射することにより再生され、その再生像は撮像レンズ１８を介してカメラ等の撮像装置１９により撮像される。
【００１１】
空間光変調器６に記録すべき情報信号を供給する空間光変調器駆動回路７、位相変調器１５の位相変調素子を駆動する位相変調器駆動回路１６、並びに第１及び第２のシャッタ３及び９はコントローラ１８にそれぞれ接続され、コントローラ１８の制御のもとで記録再生処理が行われるものとする。
【００１２】
次に、情報を記録する記録動作について説明する。情報を記録する際、コントローラ１８から空間光変調器駆動回路７に記録すべき情報が供給され、当該駆動回路７は第１の情報信号に基づいて空間光変調器６を駆動する。同時に、コントローラ１８から位相変調器駆動回路１６に第１の位相変調信号が供給され、当該駆動回路１６は入力した第１の位相変調信号に基づいて位相変調器１５の位相変調素子アレイの各位相変調素子を駆動し、位相変調器１５は第１の位相コードパターンを形成する。同時に、コントローラ１８からの駆動信号により第１及び第２のシャッタ３及び９をそれぞれ開放する。この結果、空間光変調器６及び位相変調器１５に光ビームが入射し、第１の情報信号により輝度変調された物体光及び第１の位相コードパターンにより位相変調された参照光が記録媒体の同一の位置に入射し、記録媒体に干渉縞が形成される。
第１の情報が記録されると、コントローラ１８は第１のシャッタ３を閉じ、第２の情報の記録動作に移行する。第２の記録動作では、コントローラ１８から駆動回路７に第２の情報信号が供給され、第２の情報で変調された物体光が記録媒体に入射する。同時に、位相変調器駆動回路１６に第２の位相変調信号が供給され、位相変調器１５は第２の位相コードパターンを形成する。そして、第２の位相コードパターンで位相変調された参照光と記録すべき第２の情報により輝度変調された第２の物体光が記録媒体の同一の位置に入射し、多重記録が行われる。このようにして、異なる位相コードパターンでそれぞれ位相変調された参照光を用いて順次ｎ回の記録動作が行われ、ｎ個の情報が記録媒体に多重記録される。
【００１３】
次に、記録媒体１１に多重記録されている情報を再生する再生動作について説明する。コントローラ１８からの駆動信号により、第１のシャッタ３を開放し、第２のシャッタ９を閉じて参照光だけを記録媒体に向けて投射する。そして、コントローラ１８から位相変調器駆動回路１６に位相変調信号を供給し、位相変調器１５が所定の位相コードパターンを形成すると、当該位相コードパターンを用いて記録された情報が再生され、再生された情報は撮像レンズ１９を介して撮像装置２０に撮像されることになる。
尚、記録されている情報と位相コードパターンとの関係を記憶しておくことにより、位相コードパターンのアドレスに基づいて所望の情報を再生することができる。
【００１４】
次に、本発明による位相コードパターンについて説明する。初めに、多重記録された画像をクロストークが生じることなく読み出すための条件を式の展開で示す。Ｎ個の参照光のすべてを平面波で強度が同一であると仮定する。ｍ番目のデータページは、その波動関数より次のように表される。
【数１】
2006154012.tif 000003
同様に、参照光の強度Ｐは以下の式により表される。
【数２】
2006154012.tif 000004
m番目のデータページを記録したときのホログラム媒体での強度は以下の式で表される。
【数３】
2006154012.tif 000005
ここで、３番目の項がホログラム記録に関与している。
【００１５】
次に、Ｐ番目のデータページを読むときの再生される画像の強度Ｒp（Ｘ，Ｙ）は、以下の式で表される。
【数４】
2006154012.tif 000006
ブラッグの回折条件を考慮すると、（４）式は以下のようになる。
【数５】
2006154012.tif 000007
（５）式より、目的とした記録画像のみが再生される条件として次式が導き出される。
【数６】
2006154012.tif 000008
【００１６】
上記目的とする記録情報のみを再生する条件を満たすうちの一つとしてアダマール変換行列が既知である。アダマール変換行列は、１と−１とで表される行列であり、以下の式で表現される。
【数７】
2006154012.tif 000009
このアダマール変換行列の１を位相の０とし、−１を位相のπとした位相コードパターンを用いれば多重記録が可能である。しかしながら、位相の０からπへの駆動はピークからピークへの駆動となるので、位相変調素子の駆動位相量が極めて大きく、位相変調素子の駆動時間がかかり過ぎてしまう。
【００１７】
上記課題を解決するため、本発明では、（６）式の条件を満たし、各位相変調素子の駆動位相量を小さくできる位相コードパターンを実現する。（６）式を検討するに、（６）式は、位相の差の行列が対角以外は０になれば良いことを示しているので、この条件から位相対称であることが重要であることが理解される。さらに検討するに、（６）式は、位相コードパターンの各位相コードの位相変位量が、実軸と虚軸とにより規定される複素平面上において０を始点としてそれぞれの位相を終点としたベクトルの和が零になることを表している。これらの検討結果に基づき、本発明では、位相変位素子の位相変位量が、複素平面上において０を始点としてそれぞれの位相を終点としたベクトルの和が零になる条件を満たすと共に、基底関数として離散コサイン変換行列により規定される位相コードパターンを実現する。離散コサイン変換行列により規定される位相コードパターンは、位相変位量が０とπとの間の中間値を含むため、位相変位素子の駆動時間を低減することができる。
【００１８】
離散コサイン変換行列は、以下の式で表される。
【数８】
2006154012.tif 000010
離散コサイン変換はコサインであるため、実軸と虚軸とにより規定される複素平面上において、虚軸についての対称性を有するが、実軸についての対称性は保証されない。そこで、位相の対称性を保つため、一部の位相コードの位相をπずらすことにより対称性を保持する。位相コードが３×３のマトリックス状に配列された位相コードパターンについて検討する。この場合、得られる９個の位相コードパターンのうち、２つのパターンは以下のパターンで表される。
【数９】
2006154012.tif 000011
しかしながら、この位相コードパターンは、（６）式に規定される実軸と虚軸とにより規定されるベクトル平面上でのベクトル和が零となる条件を満たしていない。そこで、本発明者が種々の解析を行った結果、π／２の位相変位量を有する因子の位相変位量をπだけ反転させて３π／２に変換することにより、ベクトル和が零になる条件を満たすことが判明した。このようにして得られた上記位相コードパターンと対応する位相コードパターンを以下に示す。
【数１０】
2006154012.tif 000012
ここで、π／６，３π／２，５π／６の位相コードの組み合わせを実軸と虚軸とにより規定される複素平面上においてプロットすることにより、これらの位相コードのベクトル和が零になることは容易に理解することができる。                      
このように、本発明は、位相コードパターンを規定するに際し、基底関数として離散コサイン変換行列を用い、その一部の位相変位量を、ベクトル和が零となるように変換することを要旨とする。
【００１９】
次に、位相変調をどのように行うかについて説明する。（６）式から、すべての位相は差が重要であるので、位相の０ポイントをどのように規定しても多重化は可能である。参照光用の光ビームを位相変調する位相変調器として、液晶素子がマトリックス状に配列された液晶装置を用いる場合、液晶素子の位相変調の曲線は印可電圧に対してコサインの２乗に比例して変化する。位相の変調は直接観察することが困難であるため、通常は偏光子を用いて光量を測定して位相に換算する。この場合の光量−印可電圧特性を図２に示し、その特性から換算される位相−印可電圧特性を図３に示す。一方、位相コード多重記録方式で多重記録する場合、（６）式で示すように、位相差が重要であるため、０ポイントは自在に設定することができる。
【００２０】
次に、平均電圧幅２乗和Ｄを次式のように定義する。
【数１１】
2006154012.tif 000013
この（９）式で表わされる平均電圧幅２乗和Ｄは、Ｎ個の位相変調素子を有する位相変調器が、ある位相コードパターンから次の位相コードパターンに駆動される際の位相分に対応した電圧の２乗和で全ての素子の和を取り、平均化したものである。０の位相を図３のどの部分にするかで平均電圧幅２乗和Ｄは大きく変化する。３×３のマトリックス状の液晶素子アレイの場合について計算すると、図４のようになる。ここで、Ｄが小さいほど、電圧幅は小さくなるので、つまり位相変調を高速でできることになる。
【００２１】
次に、本発明による位相コード多重記録装置を用いて多重記録した際の実験結果について説明する。本実験においては、液晶素子が３×３のマトリックス状に配列された位相変調器を用い、基底関数として離散コサイン変換行列を用いた。３×３のマトリックスの場合、離散コサイン変換の基底関数は以下の式で表わされる。
【数１２】
2006154012.tif 000014
ここで、上述したように、一部の位相変位量をπだけ変換し、実軸と虚軸とにより規定されるベクトル平面上でベクトル和が零になる位相コードパターンを９個作成し、図１に示す記録装置を用いて９個の情報を多重記録した。これら９個の位相コードパターンを図５に示す。尚、記録される情報として「１」〜「９」の数字を用い、位相コードパターンを変更しながら多重記録を行った。このときの再生画像を図６示す。図６に示すように、１〜９の数字は鮮明に再生された。同時に、０ポイントをかえながら平均電圧幅２乗和Ｄを測定した。その結果、位相−π／４を０ポイントとした場合Ｄが最小となり、その値は０．７９８であった。比較例として、アダマール変換行列を基底関数とした位相コードパターンの場合、１．２３であった。この平均電圧幅２乗和Ｄの測定結果から、本発明による位相コードパターンを用いて位相変調した場合、一層高速で多重記録できることが実証された。
【００２２】
本発明は上述した実施例だけに限定されず種々の変更や変形が可能である。例えば、上述した実施例では、位相変調器として３×３のマトリックス状に配列された液晶素子のアレイを用いたが、４×４のマトリックスや５×５のマトリックス等の種々のマトリックス状に配列された位相変位素子のアレイを用いることができる。
また、光源として連続発振する固体レーザを用いたが、勿論パルス発振するレーザを用いることも可能である。
【図面の簡単な説明】
【００２３】
【図１】本発明によるホログラフィック記録装置の一例の構成を示す線図である。
【図２】印可電圧と出力光量との関係を示すグラフである。
【図３】位相変調器として液晶装置を用いた場合の位相の印可電圧特性を示す線図である。
【図４】０ポイントの位置と平均電圧幅２乗和Ｄとの関係を示す線図である。
【図５】本発明による９個の位相コードパターンを示す線図である。
【図６】図５に示す９個の位相コードパターンを用いて多重記録した画像の再生画像を示す図である。
【符号の説明】
【００２４】
１  光源
２  エキスパンダ光学系  
３  第１のシャッタ
４  ビームスプリッタ
５  偏光ビームスプリッタ
６  空間光変調器
７  空間光変調器駆動回路
８  λ／２板
９  第２のシャッタ
１０  第１のフーリェ変換レンズ
１１  記録媒体
１２，１３  全反射ミラー
１４  レンズアレイ
１５  位相変調器
１６  位相変調器駆動回路
１７  第２のフーリェ変換レンズ
１８  撮像レンズ
１９  撮像装置  
【図１】
2006154012.tif 000015
【図２】
2006154012.tif 000016
【図３】
2006154012.tif 000017
【図４】
2006154012.tif 000018
【図５】
2006154012.tif 000019
【図６】
2006154012.tif 000020